(57)【要約】【課題】マザー基板単位で検査できるようにした有機電界発光表示装置のマザー基板を提供する。【解決手段】データ線及び走査線を含む複数の有機電界発光表示装置３１０と、有機電界発光表示装置の間に行方向または列方向に配置されてそれぞれの有機電界発光表示装置の領域を区分するスクライビングライン３０１とを含む有機電界発光表示装置のマザー基板が提供される。スクライビングラインのうち第１及び第４スクライビングラインによって区画される領域内の有機電界発光表示装置３１０のデータ線は、第１スクライビングラインの外郭に形成された第１ピンコンタクト部３６０と電気的に連結され、有機電界発光表示装置３１０の走査線は、第１スクライビングラインと直交し、互いに平行するように配置される第２または第３スクライビングラインの外郭に形成された第２ピンコンタクト部３７０と電気的に連結される。【選択図】図６
2008304880.tif 000002
【特許請求の範囲】
【請求項１】
データ線及び走査線を含む複数の有機電界発光表示装置と、
前記有機電界発光表示装置の間に行方向または列方向に配置されて、それぞれの有機電界発光表示装置の領域を区分するスクライビングラインと、を含み、
前記スクライビングラインは、行方向に互いに平行するように配置される第１スクライビングライン及び第４スクライビングラインと、前記第１スクライビングラインと直交し、列方向に互いに平行するように配置される第２スクライビングライン及び第３スクライビングラインとを含み、
前記スクライビングラインのうち第１及び第４スクライビングラインによって区画される領域内に形成された前記有機電界発光表示装置の前記データ線は、前記第１スクライビングラインの外郭に形成された第１ピンコンタクト部と電気的に連結され、前記第１及び第４スクライビングラインによって区画される領域内に形成される前記有機電界発光表示装置の前記走査線は、前記第２または第３スクライビングラインの外郭に形成される第２ピンコンタクト部と電気的に連結されることを特徴とする、有機電界発光表示装置のマザー基板。
【請求項２】
前記第１ピンコンタクト部は、前記第１スクライビングラインを共有するように隣接する上の行に配置される有機電界発光表示装置の下側に位置するダミー領域に形成され、前記第２ピンコンタクト部は、前記第２または第３スクライビングラインを共有するように隣接する左の列または右の列に配置される有機電界発光表示装置の左側または右側に位置するダミー領域に形成されることを特徴とする、請求項１に記載の有機電界発光表示装置のマザー基板。
【請求項３】
前記第１ピンコンタクト部及び前記第２ピンコンタクト部は、それ自体が位置する前記隣接する有機電界発光表示装置のデータ線及び走査線と電気的に絶縁されたことを特徴とする請求項２に記載の有機電界発光表示装置のマザー基板。
【請求項４】
前記それぞれの有機電界発光表示装置は、前記データ線及び前記走査線の交差部に配置され、少なくとも有機発光ダイオードを含む複数の画素を備える画素部と、
前記データ線及び前記走査線に電気的に連結され、前記画素部に駆動信号を供給する駆動回路部と、
前記駆動回路部に電気的に連結され、前記駆動回路部に電源電圧または制御信号を供給するパッド部と、
を含むことを特徴とする、請求項１〜３のいずれかに記載の有機電界発光表示装置のマザー基板。
【請求項５】
前記画素部の内部に位置する前記走査線または前記データ線の一領域は、前記有機発光ダイオードの第１電極または第２電極と同じ材料からなる第１導電膜で形成され、前記画素部と前記駆動回路部の間に位置する前記走査線または前記データ線の他の領域は、前記第１導電膜と、前記第１導電膜と異なる材料からなる第２導電膜との積層構造により形成されることを特徴とする、請求項４に記載の有機電界発光表示装置のマザー基板。
【請求項６】
前記第２導電膜は、前記第１導電膜より抵抗の低い材料で形成されることを特徴とする、請求項５に記載の有機電界発光表示装置のマザー基板。
【請求項７】
前記第２導電膜は、モリブデン及びアルミニウムのうち少なくとも一つを用いて形成されることを特徴とする、請求項５または６のいずれかに記載の有機電界発光表示装置のマザー基板。
【請求項８】
前記第２導電膜は、モリブデン−アルミニウム−モリブデンの三重膜構造により形成されることを特徴とする、請求項５〜７のいずれかに記載の有機電界発光表示装置のマザー基板。
【請求項９】
前記第１ピンコンタクト部または前記第２ピンコンタクト部は、前記第２導電膜を構成する材料のうち少なくとも一つの材料を用いて形成されることを特徴とする、請求項５〜８のいずれかに記載の有機電界発光表示装置のマザー基板。
【請求項１０】
前記第２導電膜は、少なくともアルミニウムを含んで構成され、前記第１ピンコンタクト部または前記第２ピンコンタクト部は、前記アルミニウムで形成されることを特徴とする、請求項９に記載の有機電界発光表示装置のマザー基板。
【請求項１１】
前記第１導電膜は、少なくとも酸化インジウムスズ膜を含んで構成されることを特徴とする、請求項５〜１０のいずれかに記載の有機電界発光表示装置のマザー基板。
【請求項１２】
前記第１ピンコンタクト部は、前記隣接する上の行に配置される有機電界発光表示装置の前記パッド部の両側のダミー領域に各々形成されることを特徴とする、請求項４〜１１のいずれかに記載の有機電界発光表示装置のマザー基板。
【請求項１３】
前記第２ピンコンタクト部は、前記隣接する左の列または右の列に配置される有機電界発光表示装置に実装される前記駆動回路部の一側のダミー領域に形成されることを特徴とする、請求項４〜１２のいずれかに記載の有機電界発光表示装置のマザー基板。
【請求項１４】
前記駆動回路部は、集積回路チップの形態により実装されることを特徴とする、請求項４〜１３のいずれかに記載の有機電界発光表示装置のマザー基板。
【請求項１５】
前記第１ピンコンタクト部及び前記第２ピンコンタクト部は、各々検査データ信号及び検査走査信号の供給を受けることを特徴とする、請求項１〜１４のいずれかに記載の有機電界発光表示装置のマザー基板。
【請求項１６】
走査線及びデータ線の交差部に位置し、少なくとも有機発光ダイオードを含む複数の画素が備えられた画素部と、
前記画素部の下側に位置する下側ダミー領域に位置し、前記走査線及び前記データ線と電気的に絶縁される第１ピンコンタクト部及び第２ピンコンタクト部と、
を含み、
前記データ線は、前記画素部の上側に位置する上側ダミー領域に延び、前記上側ダミー領域に延びた端部はフローティングされ、前記走査線は、前記下側ダミー領域の両側縁に延び、前記下側ダミー領域に延びた端部はフローティングされることを特徴とする、有機電界発光表示装置。
【請求項１７】
前記画素部の一側に配置され、前記画素部と電気的に連結される駆動回路部と、
前記駆動回路部に電気的に連結されて前記駆動回路部に電源電圧または制御信号を供給するパッド部と、
をさらに含むことを特徴とする、請求項１６に記載の有機電界発光表示装置。
【請求項１８】
前記第１ピンコンタクト部は、前記パッド部の両側のダミー領域に各々形成されることを特徴とする、請求項１７に記載の有機電界発光表示装置。
【請求項１９】
前記第２ピンコンタクト部は、前記駆動回路部の少なくとも一側のダミー領域に少なくとも一つ形成されることを特徴とする、請求項１７または１８のいずれかに記載の有機電界発光表示装置。
【請求項２０】
前記第２ピンコンタクト部は、前記駆動回路部の両側のダミー領域に各々一つずつ形成されることを特徴とする、請求項１９に記載の有機電界発光表示装置。
【請求項２１】
前記画素部の内部に位置する前記走査線または前記データ線の一領域は、前記有機発光ダイオードの第１電極または第２電極と同じ材料からなる第１導電膜で構成され、前記画素部の外部に延びた前記走査線またはデータ線の他の領域は、前記第１導電膜と、前記第１導電膜と異なる材料からなる第２導電膜との積層構造により形成されることを特徴とする、請求項１６〜２０のいずれかに記載の有機電界発光表示装置。
【請求項２２】
前記第１ピンコンタクト部または前記第２ピンコンタクト部は、前記第２導電膜を構成する材料のうち少なくとも一つの材料を用いて形成されることを特徴とする、請求項２１に記載の有機電界発光表示装置。
【請求項２３】
前記第１ピンコンタクト部または前記第２ピンコンタクト部と、前記第２導電膜とは、少なくともアルミニウムを含んで構成されることを特徴とする、請求項２２に記載の有機電界発光表示装置。
【請求項２４】
前記第２導電膜は、前記第１導電膜より抵抗の低い材料で形成されることを特徴とする、請求項２１〜２３のいずれかに記載の有機電界発光表示装置。
【請求項２５】
前記第２導電膜は、モリブデン−アルミニウム−モリブデンの積層構造を含んで構成されることを特徴とする、請求項２１〜２４のいずれかに記載の有機電界発光表示装置。
【請求項２６】
前記第１導電膜は、少なくとも酸化インジウムスズ膜を含んで構成されることを特徴とする、請求項２１〜２５のいずれかに記載の有機電界発光表示装置。
【発明の詳細な説明】
【技術分野】
【０００１】
本発明は、有機電界発光表示装置及び有機電界発光表示装置のマザー基板に関し、特に、マザー基板単位で検査できるようにした有機電界発光表示装置及び有機電界発光表示装置のマザー基板に関する。
【背景技術】
【０００２】
平板表示装置のうち、有機電界発光表示装置は、走査線とデータ線との交差部に位置する複数の画素を含む画素部を備える。それぞれの画素は、少なくとも有機発光ダイオードを含む。このような画素は、走査線から供給される走査信号によって選択されて、データ線から供給されるデータ信号に対応する輝度で発光する。
【０００３】
ただし、有機電界発光表示装置の画素の発光輝度は、走査信号及び／またはデータ信号の電圧レベルに敏感なので、走査線及び／またはデータ線を形成することにおいて、抵抗値がより低い材料を選別し、製造することが重要である。
【０００４】
このような有機電界発光表示装置は、一つのマザー基板上に複数個が形成された後でスクライビング（ｓｃｒｉｂｉｎｇ）されることで、それぞれの有機電界発光表示装置に分離される。そして、それぞれの有機電界発光表示装置に対する検査は、スクライビングが完了した有機電界発光表示装置に対して個別に遂行される。
【０００５】
【特許文献１】特開平９−１３８４１８号公報
【特許文献２】特開平９−１１３５６２号公報
【発明の開示】
【発明が解決しようとする課題】
【０００６】
しかし、このようにそれぞれの有機電界発光表示装置に対する検査が個別に遂行されると、検査の効率が低下するという問題点が生じる。
【０００７】
そこで、本発明は、上記問題に鑑みてなされたものであり、本発明の目的とするところは、マザー基板単位で有機電界発光表示装置に対する検査を実行できるようにし、検査の効率を向上させることが可能な新規かつ改良された有機電界発光表示装置及び有機電界発光表示装置のマザー基板を提供することである。
【課題を解決するための手段】
【０００８】
上記課題を解決するために、本発明のある観点によれば、データ線及び走査線を含む複数の有機電界発光表示装置と、有機電界発光表示装置の間に行方向または列方向に配置されて、それぞれの有機電界発光表示装置の領域を区分するスクライビングラインとを含み、スクライビングラインは、行方向に互いに平行するように配置される第１スクライビングライン及び第４スクライビングラインと、第１スクライビングラインと直交し、列方向に互いに平行するように配置される第２スクライビングライン及び第３スクライビングラインとを含み、スクライビングラインのうち第１及び第４スクライビングラインによって区画される領域内に形成された有機電界発光表示装置のデータ線は、第１スクライビングラインの外郭に形成された第１ピンコンタクト部と電気的に連結され、第１及び第４スクライビングラインによって区画される領域内に形成される前記有機電界発光表示装置の前記走査線は、第２または第３スクライビングラインの外郭に形成される第２ピンコンタクト部と電気的に連結されることを特徴とする、有機電界発光表示装置のマザー基板が提供される。
【０００９】
また、第１ピンコンタクト部は、第１スクライビングラインを共有するように隣接する上の行に配置される有機電界発光表示装置の下側に位置するダミー領域に形成され、第２ピンコンタクト部は、第２または第３スクライビングラインを共有するように隣接する左の列または右の列に配置される有機電界発光表示装置の左側または右側に位置するダミー領域に形成されるようにしてもよい。
【００１０】
また、第１ピンコンタクト部及び第２ピンコンタクト部は、それ自体が位置する、隣接する有機電界発光表示装置のデータ線及び走査線と電気的に絶縁されるようにしてもよい。
【００１１】
また、それぞれの有機電界発光表示装置は、データ線及び走査線の交差部に配置され、少なくとも有機発光ダイオードを含む複数の画素を備える画素部と、データ線及び走査線に電気的に連結され、画素部に駆動信号を供給する駆動回路部と、駆動回路部に電気的に連結され、駆動回路部に電源電圧または制御信号を供給するパッド部と、を含むようにしてもよい。
【００１２】
また、画素部の内部に位置する走査線またはデータ線の一領域は、有機発光ダイオードの第１電極または第２電極と同じ材料からなる第１導電膜で形成され、画素部と駆動回路部の間に位置する走査線またはデータ線の他の領域は、第１導電膜と、第１導電膜と異なる材料からなる第２導電膜との積層構造により形成されるようにしてもよい。
【００１３】
また、第２導電膜は、第１導電膜より抵抗の低い材料で形成されるようにしてもよい。
【００１４】
また、第２導電膜は、モリブデン及びアルミニウムのうち少なくとも一つを用いて形成されるようにしてもよい。
【００１５】
また、第２導電膜は、モリブデン−アルミニウム−モリブデンの三重膜構造により形成されるようにしてもよい。
【００１６】
また、第１ピンコンタクト部または第２ピンコンタクト部は、第２導電膜を構成する材料のうち少なくとも一つの材料を用いて形成されるようにしてもよい。
【００１７】
また、第２導電膜は、少なくともアルミニウムを含んで構成され、第１ピンコンタクト部または第２ピンコンタクト部は、アルミニウムで形成されるようにしてもよい。
【００１８】
また、第１導電膜は、少なくとも酸化インジウムスズ膜を含んで構成されるようにしてもよい。
【００１９】
また、第１ピンコンタクト部は、隣接する上の行に配置される有機電界発光表示装置のパッド部の両側のダミー領域に各々形成されるようにしてもよい。
【００２０】
また、第２ピンコンタクト部は、隣接する左の列または右の列に配置される有機電界発光表示装置に実装される駆動回路部の一側のダミー領域に形成されるようにしてもよい。
【００２１】
また、駆動回路部は、集積回路チップの形態により実装されるようにしてもよい。
【００２２】
また、第１ピンコンタクト部及び第２ピンコンタクト部は、各々検査データ信号及び検査走査信号の供給を受けるようにしてもよい。
【００２３】
また、上記課題を解決するために、本発明の別の観点によれば、走査線及びデータ線の交差部に位置し、少なくとも有機発光ダイオードを含む複数の画素が備えられた画素部と、画素部の下側に位置する下側ダミー領域に位置し、走査線及びデータ線と電気的に絶縁される第１ピンコンタクト部及び第２ピンコンタクト部と、を含み、データ線は、画素部の上側に位置する上側ダミー領域に延び、上側ダミー領域に延びた端部はフローティングされ、走査線は、下側ダミー領域の両側縁に延び、下側ダミー領域に延びた端部はフローティングされることを特徴とする、有機電界発光表示装置が提供される。
【００２４】
また、画素部の一側に配置され、画素部と電気的に連結される駆動回路部と、駆動回路部に電気的に連結されて駆動回路部に電源電圧または制御信号を供給するパッド部と、をさらに含むようにしてもよい。
【００２５】
また、第１ピンコンタクト部は、パッド部の両側のダミー領域に各々形成されるようにしてもよい。
【００２６】
また、第２ピンコンタクト部は、駆動回路部の少なくとも一側のダミー領域に少なくとも一つ形成されるようにしてもよい。
【００２７】
また、第２ピンコンタクト部は、駆動回路部の両側のダミー領域に各々一つずつ形成されるようにしてもよい。
【００２８】
また、画素部の内部に位置する走査線またはデータ線の一領域は、有機発光ダイオードの第１電極または第２電極と同じ材料からなる第１導電膜で構成され、画素部の外部に延びた走査線またはデータ線の他の領域は、第１導電膜と、第１導電膜と異なる材料からなる第２導電膜との積層構造により形成されるようにしてもよい。
【００２９】
また、第１ピンコンタクト部または第２ピンコンタクト部は、第２導電膜を構成する材料のうち少なくとも一つの材料を用いて形成されるようにしてもよい。
【００３０】
また、第１ピンコンタクト部または第２ピンコンタクト部と、第２導電膜とは、少なくともアルミニウムを含んで構成されるようにしてもよい。
【００３１】
また、第２導電膜は、第１導電膜より抵抗の低い材料で形成されるようにしてもよい。
【００３２】
また、第２導電膜は、モリブデン−アルミニウム−モリブデンの積層構造を含んで構成されるようにしてもよい。
【００３３】
また、第１導電膜は、少なくとも酸化インジウムスズ膜を含んで構成されるようにしてもよい。
【発明の効果】
【００３４】
以上説明したように本発明によれば、有機電界発光表示装置の検査の効率を向上させることが可能となる。
【発明を実施するための最良の形態】
【００３５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３６】
本発明の目的は、抵抗が低い材料を利用し、走査線及び／またはデータ線の抵抗を減少させれるようにした有機電界発光表示装置及びそのマザー基板を提供することである。また、本発明の他の目的は、マザー基板単位で有機電界発光表示装置に対する検査を遂行して、検査の効率性を向上させるようにした有機電界発光表示装置及びそのマザー基板を提供することである。
【００３７】
図１は、有機電界発光表示装置の概略構成を示す平面図である。便宜上、図１では受動型有機電界発光表示装置を図示したが、本発明がこれに限定されるものではない。
【００３８】
図１を参照すれば、有機電界発光表示装置は、基板１０上に形成された画素部２０と、画素部２０に駆動信号を供給するための駆動回路部４０と、駆動回路部４０に電源電圧及び制御信号を供給するためのパッド部５０とを含む。
【００３９】
画素部２０は、走査線Ｓ及びデータ線Ｄの交差部に位置され、少なくとも有機発光ダイオードＯＬＥＤを含む複数の画素３０を含む。それぞれの画素３０は、走査線Ｓから供給される走査信号によって選択されて、データ線Ｄから供給されるデータ信号に対応する輝度の光を生成する。これにより、画素部２０に映像が表示される。
【００４０】
駆動回路部４０は、画素部２０の一側に位置され、走査線Ｓ及びデータ線Ｄを通じて、画素部２０と電気的に連結される。このような駆動回路部４０は、パッド部５０から伝達される電源電圧及び制御信号に対応して駆動信号を生成し、これを画素部２０に供給する。例えば、駆動回路部４０は、走査信号及びデータ信号を生成し、これを各々の走査線Ｓ及びデータ線Ｄに供給することができる。
【００４１】
このような駆動回路部４０は、パネル上に形成されたり、集積回路ＩＣチップの形態で基板に実装されることができ、あるいは、図示されていない印刷回路基板に実装されて、画素部２０と電気的に連結されることもできる。このうち、例えば図１に図示されたように、駆動回路部４０が集積回路チップの形態でパネル上に実装される場合、パッドＰの数を減少させることができ、パッド部５０を形成するのに使われる伝導性フィルムに必要とされる製造コストを低減することができる。
【００４２】
パッド部５０は、有機電界発光表示装置の一側縁に位置された複数のパッドＰで構成され、パッドＰを通じて、外部から供給される電源電圧または制御信号をパネル内部に伝達する。特に、パッド部５０は、駆動回路部４０に電気的に連結されて駆動回路部４０に電源電圧または制御信号を伝達する。
【００４３】
一方、便宜上図１には図示しなかったが、パッド部５０には画素部２０と電気的に連結されるパッドがさらに含まれることができ、このパッドを通じて外部から画素部２０に画素電源を供給することができる。
【００４４】
図２は、図１に図示された有機電界発光表示装置のＩ−Ｉ’線に沿った断面図である。図２において、Ａ領域は画素部２０の一領域であり、Ｂ領域は画素部２０外部の配線領域の一領域である。以下では、図２を図１に結び付けて、画素部２０及び配線領域の断面構造についてより詳細に説明する。
【００４５】
まず、基板１０には、透明な有機材料を使用することができるが、この他にも、アクリル、ポリイミド、ポリカーボネート、ポリエステルなどのその他のプラスチック材料が使用でき、ＳＵＳ、タングステンなどのような金属ホイルも使用することができる。このような基板１０上にはバッファー層１２が形成される。
【００４６】
画素領域Ａのバッファー層１２上には、所定のパターンでパターニングされた有機発光ダイオードの第１電極３１が形成される。例えば、第１電極３１は、透明電極物質の酸化インジウムスズ（Induim  Tin  Oxide、以下、ＩＴＯという）をストライプ形状でパターニングすることによって形成されることができ、この場合、第１電極３１と一緒にデータ線Ｄが形成される。ここで、第１電極物質は、ＩＴＯに限定されるのではなく、背面発光の場合、第１電極３１は、IZO、ZnO、またはIn２O３等の透明電極物質で形成されることができる。また、前面発光の場合、第１電極３１はAg、Mg、Al、Crなどの反射型電極物質で形成されることもできる。便宜上、以下では第１電極３１がＩＴＯで形成されると仮定する。
【００４７】
第１電極３１の間には層間絶縁膜３４が形成されて、その上に分離絶縁膜３５が形成される。分離絶縁膜３５は、発光層３２及び第２電極３３をパターニングするためのもので、便宜上図２では分離絶縁膜３５と第１電極３１とが平行するように図示されているが、実際には分離絶縁膜３５と第１電極３１とは直交するように配置される。
【００４８】
したがって、分離絶縁膜３５が形成された状態で発光層３２及び第２電極３３を形成することになれば、発光層３２及び第２電極３３は、第１電極３１と直交するパターンで形成されることができる。ただし、発光層３２及び第２電極３３のパターニング方法はこれに限定されるのではなく、パターニングマスクを利用した蒸着工程でパターニングすることもできる。ここで、発光層３２は、低分子有機層または高分子有機層を利用して形成されることができる。
【００４９】
また、第２電極３３は、反射型電極物質または透明電極物質で形成されることができる。例えば、背面発光の場合、第１電極３１は、ＩＴＯのような透明電極物質で形成され、第２電極３３は、アルミニウムＡｌのような反射型電極物質で形成されることができる。このような第２電極３３は、第１電極３１と直交する方向のストライプ形状でパターニングされて形成されることができ、この場合、画素領域Ａ内部には第２電極３１とともに走査線Ｓが形成されることができる。このような画素領域Ａに形成された走査線Ｓは、後述する画素領域Ａ外部の配線領域Ｂに形成された走査線Ｓと電気的に連結される。一方、画素領域Ａの両側の配線領域Ｂには画素領域Ａ内部の走査線と電気的に連結される走査線が形成される。
【００５０】
このような配線領域Ｂの走査線は、画素領域Ａ内部の電極物質を利用して形成されることができる。例えば、配線領域Ｂの走査線は、第１電極３１及びデータ線Ｄが形成される工程で、これと同じＩＴＯ膜３７で形成されることができる。
【００５１】
一方、図２には図示されなかったが、画素部２０と駆動回路部４０との間のデータ線Ｄはストライプ形状の第１電極３１が駆動回路部４０領域に延びて形成されることができる。
【００５２】
前述した有機電界発光表示装置において、画素の発光輝度は走査信号及び／またはデータ信号の電圧レベルに敏感なので、ＩＴＯで走査線及びデータ線を形成する場合、画素部２０の外部、すなわち、画素部２０と駆動回路部４０との間に形成される走査線Ｓ及びデータ線ＤのＩＴＯ膜３７上部にはＩＴＯより相対的に抵抗の小さい導電膜３８をさらに形成して、配線の抵抗を減少させる。
【００５３】
すなわち、画素部２０内部に位置する走査線Ｓ及びデータ線Ｄの一領域は、有機発光ダイオードの第１電極３１及び／または第２電極３２と同じ材料からなる第１導電膜３７で形成されて、画素部２０と駆動回路部４０との間に位置する走査線Ｓ及びデータ線Ｄの他の領域は、第１導電膜３７と、第１導電膜３７より抵抗が低い材料で形成される第２導電膜３８の積層構造で形成されることができる。
【００５４】
このような第２導電膜３８は、クロムCrまたはアルミニウムAl等の材料を利用した断層構造で形成されるか、あるいは抵抗が異なる少なくとも二つの材料を利用して積層構造で形成されることができる。
【００５５】
図３は、図１及び図２に図示された走査線及び／またはデータ線の一例を示す断面図である。図３では、画素部と駆動回路部との間の走査線及び／またはデータ線を図示する。
【００５６】
図３を参照すれば、画素部２０と駆動回路部４０との間を連結する走査線Ｓ及び／またはデータ線Ｄは、有機発光ダイオードＯＬＥＤの第１電極物質と同じＩＴＯからなる第１導電膜３７と、モリブデン（Ｍｏ）−アルミニウム（Ａｌ）−モリブデン（Ｍｏ）の三重膜構造で形成された第２導電膜３８の積層構造で形成される。このように、第２導電膜３８をモリブデン（Ｍｏ）−アルミニウム（Ａｌ）−モリブデン（Ｍｏ）で構成すれば、断層のクロムCr等で第２導電膜３８を形成する場合に比べて、走査線Ｓ及び／またはデータ線Ｄの抵抗を一層効果的に下げることができる。
【００５７】
前述した図１〜図３に図示された有機電界発光表示装置は、エージング及び漏洩電流検査などの検査過程を経て、良品に限り製品として発売される。
【００５８】
このような検査過程において、有機電界発光表示装置は、マザー基板上でスクライビングされていない状態で検査されるか、あるいはスクライビングされた後単品状態で検査されることができる。
【００５９】
ただし、単品状態で有機電界発光表示装置に対する検査が個別的に遂行される場合、マザー基板上で複数の有機電界発光表示装置に対する検査が遂行される場合に比べて、検査の効率が低下する。したがって、マザー基板上で複数の有機電界発光表示装置に対する検査を同時に進行することがより望ましい。
【００６０】
図４及び図５は、本発明の一実施例による有機電界発光表示装置のマザー基板を示す平面図である。ここで、図４は、駆動回路部の実装前検査段階でのマザー基板を図示したもので、図５は検査が完了した後駆動回路部が実装されたマザー基板を図示したものである。
【００６１】
図４及び図５を参照すれば、本発明の一実施例による有機電界発光表示装置のマザー基板３００は、スクライビングライン３０１により区画される領域にマトリックスタイプで配列される複数の有機電界発光表示装置３１０を含む。
【００６２】
検査段階でのそれぞれの有機電界発光表示装置３１０において、画素部３２０は、走査線Ｓ及びデータ線Ｄを通じて、第１ピンコンタクト部３６０及び第２ピンコンタクト部３７０と電気的に連結される。
【００６３】
より具体的には、第１ピンコンタクト部３６０及び第２ピンコンタクト部３７０は、有機電界発光表示装置３１０内部の画素部３２０とパッド部３５０との間の領域に形成される。ここで、第１ピンコンタクト部３６０は、データ線Ｄの一側端を抵抗が低いアルミニウムAl等で連結させたショートバーの形態で、駆動回路実装領域３４５内に形成される。
【００６４】
また、第２ピンコンタクト部３７０は、駆動回路実装領域３４５に延びた走査線Ｓの一側端をアルミニウムAl等を利用して、駆動回路実装領域３４５の両側へさらに延長して互いに連結させたショートバーの形態に形成される。一方、図４及び図５では、走査線Ｓの奇数ライン及び偶数ラインが各々画素部３２０の両側に延びて、駆動回路実装領域３４５の両側に各々形成された二つの第２ピンコンタクト部３７０に連結される場合を図示したが、本発明はこれに限定されるものではない。
【００６５】
このような第１ピンコンタクト部３６０及び第２ピンコンタクト部３７０は、検査が実行される間各々検査データ信号及び検査走査信号の供給を受ける。すなわち、エージングまたは点灯検査などの多様な検査が進行される間、マザー基板３００は、検査装置内に配置され、マザー基板３００に形成されたそれぞれの有機電界発光表示装置３１０が、第１及び第２ピンコンタクト部３６０、３７０を通じてピン接触方式で検査信号の供給を受ける。これにより、マザー基板３００上に形成された複数の有機電界発光表示装置３１０に対する検査が、マザー基板３００単位で実行されることになる。
【００６６】
このような第１及び第２ピンコンタクト部３６０、３７０は、検査完了後には除去される。すなわち、検査が完了した後、第１及び第２ピンコンタクト部３６０、３７０を剥離する工程が進行される。
【００６７】
その後、図５に図示されたように、駆動回路実装領域３４５に駆動回路部３４０を実装し、スクライビングライン３０１に沿ってそれぞれの有機電界発光表示装置３１０をマザー基板３００から分離する。
【００６８】
前述した図４及び図５に図示された有機電界発光表示装置のマザー基板３００によれば、複数の有機電界発光表示装置３１０に対する検査をマザー基板３００上で一度に遂行できるようになるので、検査の効率性を向上させることができる。
【００６９】
ただし、検査完了後、第１及び第２ピンコンタクト部３６０、３７０を除去する工程が進行されなければならないので、製造工程が多少複雑になることがあり得る。
【００７０】
また、データ線Ｄ及び走査線Ｓの損傷なしに第１及び第２ピンコンタクト部３６０、３７０を効果的に剥離するために、第１及び第２ピンコンタクト部３６０、３７０はデータ線Ｄ及び走査線Ｓを構成する導電膜物質と互いに違う物質で形成されなければなない。
すなわち、アルミニウムAlでデータ線Ｄ及び走査線Ｓの一側端を延長させて連結されることによって第１及び第２ピンコンタクト部３６０、３７０を形成する本実施例は、データ線Ｄ及び走査線Ｓの第２導電膜３８がクロムCr等で形成される場合に適用できるが、図３に図示されたモリブデン（Ｍｏ）−アルミニウム（Ａｌ）−モリブデン（Ｍｏ）の低抵抗第２導電膜３８構造には適用できない。
【００７１】
したがって、本発明では後述する他の実施例を通じて、第１及び第２ピンコンタクト部３６０、３７０の剥離工程を省略するとともに、モリブデン（Ｍｏ）−アルミニウム（Ａｌ）−モリブデン（Ｍｏ）の低抵抗第２導電膜３８構造にも適用が可能な有機電界発光表示装置及びそのマザー基板を提示する。
【００７２】
図６は、本発明の他の実施例による有機電界発光表示装置のマザー基板を示す平面図である。そして、図７は、図６に図示されたデータ線及び第１ピンコンタクト部の要部拡大図で、図８は、図６に図示された走査線及び第２ピンコンタクト部の要部拡大図である。
【００７３】
図６〜図８を参照すれば、本発明の他の実施例による有機電界発光表示装置のマザー基板６００は、データ線Ｄ及び走査線Ｓを含む複数の有機電界発光表示装置６１０と、有機電界発光表示装置６１０の間に行方向または列方向に配置されて、それぞれの有機電界発光表示装置６１０の領域を区分するスクライビングライン６０１を含む。
【００７４】
すなわち、それぞれの有機電界発光表示装置６１０は、マザー基板６００上にマトリックスタイプに配置され、上下及び左右に配置された四つのスクライビングライン６０１によりその領域が区画される。例えば、いずれか一つの有機電界発光表示装置６１０は、上側の第１スクライビングラインと、第１スクライビングラインと直交、互いに平行するように配置される左／右側の第２及び第３スクライビングラインと、第２及び第３スクライビングラインと直交し、第１スクライビングラインと平行するように配置される下側の第４スクライビングラインによって、その領域が区画されうる。
【００７５】
ここで、それぞれの有機電界発光表示装置６１０に形成されたデータ線Ｄは、画素部６２０の上側に延びて、スクライビングライン６０１の外部に形成された第１ピンコンタクト部６６０と電気的に連結される。
【００７６】
すなわち、図７に図示された通り、データ線Ｄの一側端は第１スクライビングライン６０１＿１まで延びて、この端部は第１スクライビングライン６０１＿１の外郭に形成された第１ピンコンタクト部６６０と電気的に連結される。
【００７７】
例えば、データ線Ｄは、第１スクライビングライン６０１＿１を共有する隣接した上の行に配置された有機電界発光表示装置の下側のダミー領域、特に、パッド部６５０両側のダミー領域に各々形成された二つの第１コンタクト部６６０の中で、いずれか一つに電気的に連結されることができる。
【００７８】
一方、それぞれの有機電界発光表示装置６１０に形成された走査線Ｓは、左側または右側のスクライビングライン６０１が外部に延びて、スクライビングライン６０１の外部に形成された第２ピンコンタクト部６７０と電気的に連結される。
【００７９】
すなわち、図８に図示された通り、走査線Ｓの一側端は、駆動回路部６４０と重なる領域で左側及び／または右側の第２または第３スクライビングライン６０１＿２、６０１＿３方向に折り曲げられ、その外部まで延びることによって第２及び／または第３スクライビングライン６０１＿２、６０１＿３の外郭に形成された第２ピンコンタクト部６７０と電気的に連結される。
【００８０】
例えば、走査線Ｓは第２または第３スクライビングライン６０１＿２、６０１＿３を共有する隣接した左の列または右の列に配置された有機電界発光表示装置の左側または右側のダミー領域、特に、駆動回路部６４０両側のダミー領域に形成された第２ピンコンタクト部６７０と電気的に連結されることができる。
【００８１】
このような第１及び第２ピンコンタクト部６６０、６７０は、アルミニウムAlショートバーで構成されることができ、マザー基板６００上で有機電界発光表示装置６１０に対する検査が進行される間、各々検査データ信号及び検査走査信号の供給を受ける。これによって、隣接行または列に配置された有機電界発光表示装置６１０のデータ線Ｓ及び走査線Ｓに各々検査データ信号及び検査走査信号が供給され、検査が遂行される。
【００８２】
ただし、有機電界発光表示装置６１０に対する検査は、駆動回路部６４０が実装される前に遂行されることが望ましい。
【００８３】
一方、第１及び第２ピンコンタクト部６６０、６７０が自身に連結される有機電界発光表示装置６１０のスクライビングライン６０１の外部に位置するため、スクライビング以後第１及び第２ピンコンタクト部６６０、６７０は自身が位置されたスクライビングライン６０１内部の有機電界発光表示装置６１０に含まれた他の構成要素、特に、データ線Ｄ及び走査線Ｓとは電気的に絶縁され、これらの駆動に影響を及ぼさない。
【００８４】
前述した図６〜図８に図示された有機電界発光表示装置のマザー基板６００によれば、複数の有機電界発光表示装置６１０に対する検査をマザー基板６００上で一度に実行できるようになるので、検査の効率性を向上させることができる。
【００８５】
また、第１及び第２ピンコンタクト部６６０、６７０をスクライビングライン６０１の外部に適切に配置することによって、ＣＯＧタイプの有機電界発光表示装置にも適用可能なことはもちろん、これを除去する剥離工程などを進行しなくてもスクライビング工程によってデータ線Ｄ及び走査線Ｓとの連結を断絶することができる。これによって、製造工程がより単純になる。
【００８６】
また、第１及び第２ピンコンタクト部６６０、６７０の除去が不要なので、画素部外部６２０に延びたデータ線Ｄ及び走査線Ｓを形成する第２導電膜３８を構成する物質を自由に選択することができる。これによって、設計がより容易になるのはもちろん、図３に図示されたモリブデン（Ｍｏ）−アルミニウム（Ａｌ）−モリブデン（Ｍｏ）の低抵抗第２導電膜３８構造を適用してデータ線Ｄ及び走査線Ｓの抵抗を減少させることができる。
【００８７】
例えば、画素部６２０内部に位置されたデータ線Ｄは、有機発光ダイオードＯＬＥＤの第１電極と同様にＩＴＯ膜で構成された第１導電膜３７で形成されて、画素部６２０の外部、すなわち、画素部６２０と駆動回路部６４０の間のデータ線Ｄは、第１導電膜３７と、第１導電膜３７より抵抗が低いモリブデン（Ｍｏ）−アルミニウム（Ａｌ）−モリブデン（Ｍｏ）の積層構造からなる第２導電膜３８で形成されてもよい。
【００８８】
そして、画素部６２０内部に位置された走査線Ｓは、有機発光ダイオードＯＬＥＤの第２電極と同様にアルミニウムＡｌで形成されて、画素部６２０の外部、すなわち、画素部６２０と駆動回路部６４０の間の走査線Ｓは、ＩＴＯ膜で構成された第１導電膜３７と、モリブデン（Ｍｏ）−アルミニウム（Ａｌ）−モリブデン（Ｍｏ）の積層構造からなる第２導電膜３８が連結された形態で形成されて、画素部６２０内部の走査線Ｓと電気的に連結されるように形成されることができる。
【００８９】
すなわち、第１及び／または第２ピンコンタクト部６６０、６７０と、第２導電膜６８がすべてアルミニウムＡｌを含むように構成されることができる。
【００９０】
ただし、上記の例は背面発光する有機電界発光表示装置６１０に適用した例を記載したもので、本発明がこれに限定されるのではない。例えば、前面発光する場合、画素部６２０内部のデータ線Ｄ及び走査線Ｓを構成する物質が反対に設定されることができ、両面発光する場合、画素部６２０内部のデータ線Ｄ及び走査線ＳがすべてＩＴＯ膜で形成されることも可能である。
【００９１】
図９は、図６に図示されたスクライビングラインに沿ってスクライビングされた有機電界発光表示装置の一例を示す平面図である。
【００９２】
図９を参照すれば、図６に図示されたスクライビングライン６０１に沿ってマザー基板６００からスクライビングされた有機電界発光表示装置６１０は、画素部６２０と、駆動回路部６４０と、パッド部６５０と、第１及び第２ピンコンタクト部６６０、６７０とを含む。
【００９３】
画素部６２０は、走査線Ｓ及びデータ線Ｄの交差部に位置され、少なくとも有機発光ダイオードを含む複数の画素を具備する。そして、駆動回路部６４０は、画素部６２０の一側に位置されて、画素部６２０と電気的に連結され、パッド部６５０は駆動回路部６４０に電気的に連結されて、駆動回路部６４０に電源電圧または制御信号を供給する。
【００９４】
そして、第１及び第２ピンコンタクト部６６０、６７０は、画素部６２０の下側のダミー領域に位置され、他の構成要素、特にデータ線Ｄ及び走査線Ｓと電気的に絶縁される。
【００９５】
より具体的には、第１ピンコンタクト部６６０は、パッド部６５０の両側のダミー領域に各々形成されて、第２ピンコンタクト部６７０は、駆動回路部６４０の少なくとも一側、例えば、両側のダミー領域に各々一つずつ形成されることができる。
【００９６】
一方、データ線Ｄは、画素部６２０の上側ダミー領域に延びて、その延びた端部がフローティングされて、走査線Ｓは画素部６２０の下側のダミー領域の両側縁に延びて、その延びた端部がフローティングされる。ここで、フローティングされたデータ線Ｄ及び走査線Ｓを保護するために、これらの上部にはタフィ（Tuffy）等の保護膜（図示せず）が形成されることができる。ここで、データ線Ｄ及び走査線Ｓと、第１及び第２ピンコンタクト部６６０、６７０の構成材料は、図６〜図８に対する詳細な説明に記載された材料と同一であり、したがってこれに対する詳細な説明は省略する。
【００９７】
以上説明したように、本実施形態にかかる有機電界発光表示装置及びそのマザー基板によれば、検査の効率性を向上させて、製造工程を単純化することができる。また、データ線及び走査線を構成する第２導電膜の構成物質に対する選択の幅が広くなって、設計をより容易にすることができる。また、モリブデン−アルミニウム−モリブデンの低抵抗第２導電膜構造にも適用が可能でデータ線及び走査線の抵抗を減少させることができる。
【００９８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００９９】
【図１】有機電界発光表示装置の概略的な構成を示す平面図である。
【図２】図１に図示された有機電界発光表示装置のＩ-Ｉ'線に沿った断面図である。
【図３】図１及び図２に図示された走査線及び/またはデータ線の一例を示す断面図である。
【図４】本発明の一実施例による有機電界発光表示装置のマザー基板を示す平面図である。
【図５】本発明の一実施例による有機電界発光表示装置のマザー基板を示す平面図である。
【図６】本発明の他の実施例による有機電界発光表示装置のマザー基板を示す平面図である。
【図７】図６に図示されたデータ線及び第１ピンコンタクト部の腰部拡大図である。
【図８】図６に図示された走査線及び第２ピンコンタクト部の腰部拡大図である。
【図９】図６に図示されたスクライビングラインについてスクライビングされた有機電界発光表示装置の一例を示す平面図である。
【符号の説明】
【０１００】
２０、３２０、６２０    画素部
３７    第１導電膜
３８    第２導電膜
４０、３４０、６４０    駆動回路部
５０、３５０、６５０    パッド部
３００、６００    マザー基板
３０１、６０１    スクライビングライン
３１０、６１０    有機電界発光表示装置
３６０、６６０    第１ピンコンタクト部
３７０、６７０    第２ピンコンタクト部
【図１】
2008304880.tif 000003
【図２】
2008304880.tif 000004
【図３】
2008304880.tif 000005
【図４】
2008304880.tif 000006
【図５】
2008304880.tif 000007
【図６】
2008304880.tif 000008
【図７】
2008304880.tif 000009
【図８】
2008304880.tif 000010
【図９】
2008304880.tif 000011